(57)【特許請求の範囲】
【請求項１】
屈曲する段部によってオフセットされる内側プレートと外側プレートとでなる両側のオフセットプレートが軸部で一体に形成され、内側プレートの外側面にボス部が設けられ、外側プレートに軸孔が穿設されて複数のプラスチック製オフセットリンクを形成し、両側のオフセットプレートの外側プレート内側面端部分を先端より切欠して斜面にし、ボス部の頂面を前記斜面に相対する斜頂面に形成され、ボス部をその斜頂面が外側プレートの斜面で案内されて軸孔に軸着し、複数のオフセットリンクが組付けられ、前記段部が連結した隣のオフセットリンクの内側プレートの端部と当接され、両側のオフセットプレートの内側プレートの端部を、隣に連結されるオフセットリンクの段部の立上がり平面に相対する平面端部とし、該平面端部による前記段部の立上がり平面との当接で長手方向に連結した隣合うオフセットリンクを真直ぐに押し得ることができるようにし、オフセットプレートの内側プレート及び外側プレートの端部の片方隅角を円弧状に切欠し、オフセットリンクの片方への偏向が、連結された隣のオフセットリンクの段部との干渉なく、可能とされることを特徴とするオフセット形チェーン。
【発明の詳細な説明】
【技術分野】
【０００１】  本発明は、押し引き可能とするプラスチック製オフセットリンクからなるオフセット形チェーンに関するものである。
【背景技術】
【０００２】  従来には、オフセット位置を境にして屈曲した両側のオフセットプレートが軸部で一体に形成された複数のプラスチック製オフセットリンクを設け、該オフセットリンクが前記オフセットプレートの軸部側面に形成されたボス部を他のオフセットリンクのオフセットプレートに形成された軸孔に入れ込ませて連結したプラスチック製オフセット形チェーンがあった（特許文献１）。【０００３】  そしてまた、プラスチック製オフセットリンクのオフセットプレートに設けられた軸孔を型として、次の隣となるオフセットリンクのボス部が成形されて、順次、他の連結するプラスチック製オフセットリンクを形成し、軸孔に他のオフセットリンクのボス部が軸着されて連結したプラスチック製オフセット形チェーンが知られている（特許文献２）。【０００４】  更に、複数のオフセットリンクがオフセットプレートの軸孔に他のオフセットリンクの軸部のボス部を軸着して連結したプラスチック製オフセット形チェーンにおいて、オフセットプレートの端部には、隣のオフセットリンクのオフセットプレートに形成されたオフセットする段部に、オフセット型チェーンの屈曲状態を維持させるよう当接させる突起及び斜面が形成されたものもあった（特許文献３）。
【先行技術文献】
【特許文献】
【０００５】
【特許文献１】  実公昭４６−２３１５６号
【特許文献２】  特許第２９１２７０８号
【特許文献３】  特開平１１−３０２９４号
【発明の概要】
【発明が解決しようとする課題】
【０００６】  両側のオフセットプレートが軸部で一体に形成された複数のプラスチック製オフセットリンクを設け、該オフセットリンクが前記オフセットプレートの軸部側面に形成されたボス部を他のオフセットリンクのオフセットプレートに形成された軸孔に入れ込ませて連結したプラスチック製オフセット形チェーンは、プラスチック製であるので、成形された個々のオフセットリンクを組付けることができ、摩擦音が低くて騒音防止になる点で良いが、ボス部を隣のオフセットリンクの軸孔へ入れ込ませて、次々に抜け外れしないように連結することは、軸孔にボス部を入れ込むこと自体が困難で、手間暇を要し、生産性悪く、問題であった。
また、プラスック製オフセット形チェーンであるが故に、軸孔に軸着されたボス部部分にも押し引きの負荷が課せられることになるので、その部分が破損し易く、また、この破損を免れるためにも成形の精度を高めなければならないといった不都合さがあった。【０００７】  そこで、複数のオフセットリンクが軸孔にボス部を軸着して連結されるに当って、その入れ込み軸着による連結の困難を解消するために、プラスチック製オフセットリンクのオフセットプレートに設けられた軸孔を型として、次の隣になるプラスチック製オフセットリンクのボス部が成形されて、プラスチック製オフセットリンクを次々に成形連結することについては、個々のオフセットリンクの成形連結に所要時間を要し、複数のオフセットリンクを一時に成形しておいて、ボス部が、他のオフセットリンクの軸孔に入れ込み連結されるオフセット形チェーンよりは時間を要し、効率的でなく、生産性に乏しい。しかも、成形機が、金型と共に複雑となり、効果的でなく、合理的でない。【０００８】  複数のオフセットリンクがオフセットプレートの軸孔に、他のオフセットリンクのボス部を軸着して連結され、オフセットプレートの端部には、隣のオフセットリンクのオフセットプレートに形成された段部に当接する突起及び斜面を形成し、該突起及び斜面が形成されるオフセット形チェーンは、その屈曲状態を維持させるには、それなりの効果を成すものであるが、このオフセット形チェーンによる押し操作の場合、オフセットプレートの端部が隣のオフセットリンクの段部を押せるように、オフセットプレートの端部及び段部が当接された構成になってなく、特に、オフセット形チェーンを真直ぐに押し得るようにできていないので、このようなオフセット形チェーンでは、押し操作の為にガイドレール等の補足構造を備え得ることが必要とする。
【課題を解決するための手段】
【０００９】  本発明のオフセット形チェーンは、屈曲する段部によってオフセットされる内側プレートと外側プレートとでなる両側のオフセットプレートが軸部で一体に形成され、内側プレートの外側面にボス部が設けられ、外側プレートに軸孔が穿設せれて複数のプラスチック製オフセットリンクを形成し、該オフセットリンクがそのボス部を他のオフセットリンクのオフセットプレートに形成された軸孔に軸着し、前記段部が連結した隣のオフセットリンクの内側プレート端部と当接されるものである。【００１０】  本発明のオフセット形チェーンは、両側のオフセットプレートの外側プレート内側面端部分を先端より切欠して斜面にし、ボス部が頂面を前記斜面に相対する斜頂面に形成され、ボス部をその斜頂面が外側プレートの斜面で案内されて軸孔に軸着し、複数のオフセットリンクが組付けられるものである。【００１１】  本発明のオフセット形チェーンは、両側のオフセットプレートの内側プレートの端部を、隣に連結されたオフセットリンクの段部の立上がり平面に相対する平面端部とし、該平面端部による前記段部の立上がり平面との当接で長手方向に連結した隣合うオフセットリンクが真直ぐに押し得るものである。【００１２】  本発明のオフセット形チェーンは、オフセットプレートの内側プレート及び外側プレートの端部の片方隅角を円弧状に切欠し、オフセットリンクの片方への偏向が、連結された隣のオフセットリンクの段部との干渉なく、可能とされるものである。【００１３】  本発明のオフセット形チェーンは、内側プレート及び外側プレートの端部の片方隅角を円弧状に切欠したオフセットリンクの段部が、その円弧状に切欠した隅角と同方向の外側面端縁部分を膨出させて、逆組付け防止突部を形成し、オフセットリンクの連結組付けの際、外側プレートの端部が当って、逆組付け防止されるものである。
【発明の効果】
【００１４】  本発明のオフセット形チェーンは、屈曲する段部によってオフセットされる内側プレートと外側プレートとでなる両側のオフセットプレートが軸部で一体に形成されるオフセットリンクが、内側プレートの外側面に設けられたボス部を他のオフセットリンクのオフセットプレートに形成された軸孔に軸着し、前記段部が連結した隣のオフセットリンクの内側プレート端部と当接されているので、このオフセット形チェーンの引き操作の際は、ボス部と軸孔との軸着部分で行われるが、このオフセット形チェーンの押し操作の際には、段部が連結した隣のオフセットリンクの内側プレート端部との当接で行われ、押し引き操作を受ける個所が分けられていることによって、摩耗を遅らせて耐久性が得られ、桟能分担を明確に分けることによって、簡単且つ単純な構造にでき、単純な構造であることによっての確実な桟能を果すことができる。【００１５】  本発明のオフセット形チェーンは、両側のオフセットプレートの外側プレート内側面端部分を先端より切欠して斜面にし、ボス部が頂面を前記斜面に相対する斜頂面に形成されているので、複数のオフセットリンクを連結する際に、ボス部を外側プレートの斜面でボス部の斜頂面が案内されて軸孔に軸着するので、複数のオフセットリンクの組付け連結が簡単且つ容易にでき、しかも、正確にして確実な作業の迅速化をすることができ、生産性を向上させることができる。
そして、ボス部の斜頂面は、ボス部を軸孔に軸着する際の入れ込み組付けの案内になって都合よいばかりでなく、ボス部を軸孔より引き抜こうとする際には、掛合された状態になっていて引き抜け難い。よって、連結されたオフセット形チェーンの引き操作の際、ボス部の軸孔への軸着による掛合が確実にでき、外れることのないようにできる。【００１６】  本発明のオフセット形チェーンは、両側のオフセットプレートの内側プレートの端部を隣に連結されるオフセットリンクの段部の立上がり平面に相対する平面端部とし、該平面端部が長手方向へ連結した隣合うオフセットリンクの段部の立上がり平面と当接され、押し操作の際、隣合うオフセットリンク同士が当接する内側プレートの平面端部と相対する段部の立上がり平面とであるので、ガイドレール等の補助構造を付設させることなく、真直ぐに押し得ることが出来るものである。【００１７】  本発明のオフセット形チェーンは、オフセットプレートの内側プレート及び外側プレートの端部の片方隅角が円弧状に切欠され、オフセットリンクの片方への偏向が、連結された隣のオフセットリンクの段部との干渉なく可能とされるので、オフセット形チェーンの押し引き操作がされた際、該押し引き操作に支障を来たすことなく、正確且つ確実な押し引き操作をすることができ、しかも、単純且つ簡単な構造でできることになる。
なお、オフセット形チェーンにガイドレール等の補足構造を付設すれば、偏向する押しひき操作が、一層、簡単且つ容易に成し遂げられることになる。【００１８】  本発明のオフセット形チェーンは、内側プレート及び外側プレートの端部の片方隅角を円弧状に切欠したオフセットリンクの段部がその円弧状に切欠した隅角と同方向の外側面端縁部分を膨出させて逆組付け防止突起を形成したので、複数のオフセットリンクの連結組付けの際、該逆組付け防止突起に外側プレートの端部が当って逆組付け防止出来ることになる。
【図面の簡単な説明】
【００１９】
【図１】  オフセット形チェーンの正面図である。
【図２】  オフセット形チェーンの側部半分を断面にした上面図である。
【図３】  オフセット形チェーンの中央を断面にした断面図である。
【図４】  オフセットリンクの正面図である。
【図５】  オフセットリンクの側部半分を断面にした上面図である。
【図６】  オフセットリンクの中央を断面にした断面図である。
【図７】  逆組付け防止するオフセット形チェーンの正面図である。
【図８】  逆組付け防止するオフセット形チェーンの側部半分を断面にした上面図である。
【図９】  逆組付け防止するオフセット形チェーンの中央を断面にした断面図である
【図１０】  逆組付け防止するオフセットリンクの正面図である。
【図１１】  逆組付け防止するオフセットリンクの側部半分を断面にした断面図である
【図１２】  逆組付け防止するオフセットリンクの中央を断面にした断面図である。
【発明を実施するための形態】
【実施例１】
【００２０】  本発明のオフセット形チェーンは、図１乃至図３に示す如く、屈曲する段部２１によってオフセットされる内側プレート２２と外側プレート２３とでなる両側のオフセットプレート２が軸部３で一体に形成された複数のプラスチック製オフセットリンク１を連結して構成され、前記段部が連結した隣のオフセットリンクの内側プレート端部２２１に当接されるものである。【００２１】  オフセットリンク１は、図４乃至図６に示す如く、両側のオフセットプレート２の内側プレート２２が軸部３で一体に形成されたその内側プレート２２の外側面にボス部４を設け、外側プレート２３に軸孔５を穿設する。両側のオフセットプレート２の外側プレート２３内側面端部分を先端より切欠して斜面２３１にし、ボス部４の頂面を前記斜面２３１に相対する斜頂面４１に形成し、前記外側プレート２３の斜面２３１で隣のオフセットリンクのボス部４の斜頂面４１が案内されてボス部４を軸孔５に軸着し、複数のオフセットリンクが組付けられる。【００２２】  オフセット形チェーンは、両側のオフセットプレート２の内側プレート２２端部を隣に連結されるオフセットリンクの段部２１の立上がり平面２１１に相対する平面端部２２１とし、該平面端部による前記段部の立上がり平面２１１との当接で長手方向に連結した隣合うオフセットリンクが偏向されることなく真直ぐに押し得る。【００２３】  オフセットリンク１は、オフセットプレート２の内側プレート２２及び外側プレート２３の端部の片方隅角２２２，２３２が円弧状になるように切欠され、オフセットリンクの片方への偏向が連結した隣のオフセットリンク１の段部２１との干渉なく可能とされるものである。【００２４】  オフセット形チェーンは、段部２１によってオフセットした内側プレート２２と外側プレート２３とでなる両側のオフセットプレート２が軸部３で一体に形成された複数のプラスチック製オフセットリンク１を、内側プレート２２の外側面に形成されたボス部４が、その頂面の斜頂面４１を外側プレート２３の内側面端部分を先端より切欠してなる斜面２３１による案内で軸孔５に入れ込ませられて軸着され、連結することによって構成される。
ボス部４のその斜頂面４１をオフセットプレート２の斜面２３１によって軸孔５へ入れ込み軸着することは、作業を容易にし、迅速化し、組付け生産性が向上されることになる。
そして、ボス部４の軸孔５への軸着は、ボス部４の斜頂面４１で丈短になった部分によって軸孔５へ入れ込み易くし、丈長になった部分によって軸孔５に掛止されることになって外れ難くする。よって、複数のオフセットプレート２が連結し易く、且つ、オフセット形チェーンの押引き操作に十分な桟能を果し得ることになる。【００２５】  ところで、ボス部４の軸孔５への軸着は、ボス部４の頂部を斜頂面４１とすることによって入れ込み易くなり、そして、オフセット形チェーンの引き操作には効果的であるが、押し操作ではボス部４の頂部の斜頂面４１が軸着を外れ易くされることになりかねない。しかし、連結した隣合うオフセットリンク１のオフセットプレート２の内側プレート２２の平面端部２２１と段部２１の立上がり面２１１とが当接され、この当接でオフセットリンク１が偏向されることなく真直ぐに押し得ることがされ、ボス部４の軸着を外れ難くし、押し操作を可能としている。
なお、オフセットリンク１を偏向しても、段部２１の立上がり面２１１と内側プレート２２の端部２２１の円弧状に切欠された隅角２２２とが干渉されていないので、支障なく可能とする。
なお更に、オフセット形チェーンに偏向させるガイドレール等の補足構造を付設すれば、その押し引き操作がガイドレール等の補足構造に沿って偏向を簡単且つ容易にできることになる。
【実施例２】
【００２６】  本発明のオフセット形チェーンは、図７乃至図９に示す如く、段部２１によってオフセットされる内側プレート２２と外側プレート２３とでなる両側のオフセットプレート２０が軸部３で一体に形成された複数のプラスチック製オフセットリンク１０を連結して構成され、前記段部が連結した隣のオフセットリンクの内側プレート２２の端部２２１に当接されるものである。【００２７】  オフセットリンク１０は、図１０乃至図１２に示す如く、両側のオフセットプレート２０が軸部３で一体に形成されたその内側プレート２２の外側面にボス部４を設け、外側プレート２３に軸孔５を穿設する。両側のオフセットプレート２０の外側プレート２３内側面端部分を先端より切欠して斜面２３１にし、ボス部４の頂面を前記斜面２３１に相対する斜頂面４１に形成し、前記斜面２３１で隣のオフセットリンクのボス部４の斜頂面４１が案内されて軸孔５にボス部４を入れ込み組付けられる。【００２８】  オフセットリンク１０は、オフセットプレート２０の内側プレート２２及び外側プレート２３の端部の片方隅角２２２，２３２が円弧状になるように切欠され、オフセットリンクの片方への偏向が連結した隣のオフセットリンク１０の段部２１と干渉なく可能とせれる。【００２９】  オフセットプレート２０の段部２１でオフセットされた内側プレート２２及び外側プレート２３の端部の片方隅角２２２，２３２を円弧状に切欠したオフセットリンク１０は、その段部２１が円弧状に切欠した隅角と同方向の外側面端縁部分を膨出させて逆組付け防止突部６を形成し、複数のオフセットリンクの連結組付けの際、該逆組付け防止突起６に外側プレート２３の端部が当って逆組付け防止でき、誤った組付けをすることがない。
【符号の説明】
【００３０】１        オフセットリンク
１０      オフセットリンク
２        オフセットプレート
２０      オフセットプレート
２１      段部
２１１    立上がり平面
２２      内側プレート
２２１    端部
２２２    隅角（円弧状）
２３      外側プレート
２３１    斜面
２３２    隅角（円弧状）
３        軸部
４        ボス部
４１      斜頂面
５        軸孔
６        逆組付け防止突部
【図１】
0005678379.tif 000002
【図２】
0005678379.tif 000003
【図３】
0005678379.tif 000004
【図４】
0005678379.tif 000005
【図５】
0005678379.tif 000006
【図６】
0005678379.tif 000007
【図７】
0005678379.tif 000008
【図８】
0005678379.tif 000009
【図９】
0005678379.tif 000010
【図１０】
0005678379.tif 000011
【図１１】
0005678379.tif 000012
【図１２】
0005678379.tif 000013